(57)【要約】【課題】携帯用電動鋸を手持ちのフリー状態にて木板、又は合成樹脂板を直線に正確に  切断することは、熟練者にても不可能であり、この解決が要求されている。【手段】従来の携帯用電動鋸の下面にガイド溝を設けた金属製の平板を装着、このガイ  ド溝内に嵌入電動鋸を直線進行させるレールを、切断すべき素材上の所定位置に仮止め  する。【選択図】図１
2009178943.tif 000002
【特許請求の範囲】
【請求項１】
手持ち携帯用電動鋸の下面に、ガイド溝を設けたガイド板を固着して成ることを特徴とした切断ガイド付き携帯用電動鋸。
【請求項２】
請求項１記載の切断ガイド付き携帯用電動鋸において、電動鋸の下面に固着したるガイド板のガイド溝を梯形状にしたることを特徴とした切断ガイド付き携帯用電動鋸。
【請求項３】
請求項１記載の切断ガイド付き携帯用電動鋸において、ガイド溝に嵌入するレールの適宜箇所に、位置測定用枝片を設けて成ることを特徴とする切断ガイド付き携帯用電動鋸。
【請求項４】
請求項３記載の切断ガイド付き携帯用電気鋸において、枝片を設けたるレールの下段に平面のレールを重ね、上段のレールと下段のレールとの重ねを、ずらし固定することにより枝片の先端長さ位置を調整することを特徴とした切断ガイド付き携帯用電動鋸。
【請求項５】
請求項２記載の切断ガイド付き携帯用電動鋸において、レールの裏面の適宜箇所に、レール取り付け用突起を設けて成ることを特徴とした切断ガイド付き携帯用電気鋸。
【請求項６】
請求項４記載の切断ガイド付き携帯用電動鋸において、レール取り付け用突起の上部にネジを接合し、該ネジにてレールに螺着して成ることを特徴とした切断ガイド付き携帯用電動鋸。
【発明の詳細な説明】
【技術分野】
【０００１】
本発明は、手持ちにて操作する切断用電動鋸に装備して、板状素材を正確に直線切断す
るための、ガイド装置付き携帯用電動鋸に関するものである。
【背景技術】
【０００２】
平面な木板、及び合成樹脂板を、手持ち用の電動鋸にて直線に切断する場合において、従来より実施されたる方法は、切断すべき位置に、墨壺又は直線定規を用い切断線を記し、その線上を鋸刃が進行するよう電動鋸を操作し切断をなして居るのが現状であって、切断
線を正確、容易に切断し得る装置、器具は現今市場に全く見当たらない。
【特許文献１】特開平９−２９０４０２
【特許文献１】特開平１１ー３００７０２
【発明の開示】
【発明が解決しようとする課題】
【０００３】
現今の一般では、平面な木板、又は合成樹脂板、等を手持ち用の電動鋸にて直線に切断する場合において、切断すべき位置に記された切断線上を目視して電動鋸を操作し、鋸刃を切断線上に進行させて切断をなしている。
【０００４】
手持ちにて電動鋸を操作すると、熟練者にても正確な直線に切断する事は不可能であり後で直線に補正する必要がある、このような切断は素材を無駄にする事になり、又作業能率を悪化する。
【課題を解決するための手段】
【０００５】
本発明は上記の問題点を解決するため成されたものであって、手持ち用電動鋸にて平板を正確に直線切断する方法として、手持ち用電動鋸の裏面にガイド溝を設け、このガード溝に嵌入する直線のレールを、切断すべき平板の上面の所定位置に固定し、このレールにて手持ち電動鋸を正確に直線進行させる。
【０００６】
切断すべき平板に、切断すべき切断線が記されて居る、この切断線より、ある間隔Ａにてレールが置かれ固定される、このある間隔Ａは、手持ち電動鋸の裏面に設けられたるガイド溝と鋸刃との距離間隔と同じである。
【０００７】
レールを切断材に取り付ける方法として、レールの裏面に針状の突起を設ける、この突起を出入式にしても良く、又レールに孔を設け、この孔に釘、又は木ネジを入れ取り付ける、レールの裏面に両面接着テープを貼り付け切断材に取り付ける方法もある。
【０００８】
レールを切断すべき板上に置き固定する場合に位置計測を迅速化するため間隔Ａと同寸法の枝片をレールに設け、この枝片の先端を板材の切断線に合わせレールを固定させる、枝片は出入り可能に作り、ガイド溝の進行に支障を与えない構成にする。
【０００９】
鋸刃は、円盤状のものと板状のものがあり、刃の厚さは種々相違している、そのため間隔Ａは鋸刃厚により相違する、この相違に対応させるためレールの下に更にレールを重ね二段に成し、上段のレールは幅を狭くして枝片を設ける、上段レールを鋸刃厚に応じて左右に調整動させ下段レールにネジにて固定して鋸刃厚による間隔Ａの増減に対応させる。      
【００１０】
レールは断面が横長の矩形状のものと、断面が横長であって上辺の短い梯形状のものがあり、梯形状レールはガイド溝も梯形状になるため使用に際しギャップが無く切断制度が向上する。
【００１１】
本発明は回転さる丸鋸及び、上下動により切断する方式の電動鋸は勿論、直線切断に使用する全ての携帯用電動鋸に適用されるものである。      
【発明の効果】
【００１２】
本発明は次に記載する効果を奏する、木板、又は合成樹脂板、等の板素材を、携帯用の電動鋸にて直線に切断するに際し、従来は熟練者にても正確な切断は不可能であった、そのため切断箇所の修正に手数を要し、素材を無駄にして居た。
【００１３】
本発明によれば、未熟者にても正確、容易に直線切断が可能である。そのため、素材の
無駄を防止し、作業能率を向上させる事ができる。
【発明を実施するための最良の形態】
【００１４】
従来の携帯用電動鋸の裏面にガイド溝を設け、このガイド溝内に入り、ガイド溝を直進させるレールを、切断材に置き仮固定する。
【００１５】
レールには、仮固定用の針状突起と、置き位置計測用の枝片を設ける。
【実施例】
【００１６】
以下本発明を図面に基づき詳細に説明する。図１は本発明の切断ガイド付き携帯用
電動鋸の斜視図であって、１は従来の円板鋸式の携帯用電動鋸である、本発明は、この方式鋸に限定されたものでなく、直線に切断可能の全ての携帯用電動鋸に装置して使用可能な事は勿論である。
【００１７】
２は、携帯用電動鋸１の裏面に設けられたるガイド板Ａであって、中央部に矩形状のガ
イド溝Ａ16が設けられている、このガイド溝16がレール上を進行する事により直線切断をする、ガイド板Ａ２は鉄板製にて端部を折り曲げたるため強固である。
【００１８】
図２は本発明の切断ガイド付き携帯用電動鋸の斜視図であって、１は従来の携帯用
電動鋸である、３は携帯用電動鋸１の裏面に設けられたるガイド板Ｂであって、一枚のやや厚手の鉄板を折り曲げ、或は溶融金属又は合成樹脂加工で作られて居り、中央部に矩形状のガイド溝Ｂ17が設けられている。
【００１９】
図３は本発明の切断ガイド付き携帯用電動鋸の斜視図であって、１は従来の携帯用
電動鋸である、４は携帯用電動鋸１の裏面に設けられたるガイド板Ｃであって、一枚のやや厚手の鉄板を折り曲げ、或は溶融金属又は合成樹脂加工で作られて居り、中央部に梯形状のガイド溝18が設けられている。
【００２０】
図４は本発明の切断ガイド付き携帯用電動鋸の、レール５の一部切断平面図であっ
て、このレール５をガイド溝Ａ16，ガイド溝Ｂ17、ガイド溝Ｃ18、等が挟み進行することにより、正確な直線切断ができる。
【００２１】
木板、又は合成樹脂板、等の平板を直線に切断する場合に切断すべき箇所に切断線を直線定規、墨壺等を用いて記す。
【００２２】
この場合に切断線と携帯用電動鋸１を進行させるレール５との位置は離れて居り、レール５を切断材上の所定位置に置くに際し、迅速に位置決定が必要である、そのためレール５に出入構造の枝片６を適当個数設ける、この枝片６を出して、その先端を切断線に合わせてレール５の置き位置を決定する、枝片６は支点軸７を中心に出入構造なるため携帯用電動鋸１の進行に際し何等支障を与えない。
【００２３】
枝片６と同寸幅の定規を作り、これを切断線に合わせ置き、その横にレール５を置く方法も軽便である。
【００２４】
図５は本発明の切断ガイド付き携帯用電動鋸の、レール５の一部切断平面図であつ
て、（図５）は枝片６がレール５の中に入った状態と出た状態の場合を示したものである
枝片６の先端に調整ネジ８を設けることも可能である。
【００２５】
図６は本発明の切断ガイド付き携帯用電動鋸の二段レールの場合の斜視図である、
鋸刃は多種類あって刃の厚さが相違している、そのため刃の厚さにてレール５の置き位置が変動する、このためレール５の下に枝片６出入り用の切り込みを設けた下段レール10を重ね、鋸刃の厚さに応じて、上段のレール５を左右にずらせ調整する、９は上段のレール５を下段のレール10にネジにて固定するための止めネジ孔であり、長溝孔に作られている、下段のレール10の幅は長く、上段のレール５の幅は短くされている。
【００２６】
図７は本発明の切断ガイド付き携帯用電動鋸の、レール５の断面図であって12は切
断すべき素材に押し入れレール５を切断素材に止め付けるための突起Ａである、この突起Ａ12はネジ11の下段に取り付けられて居る。
【００２７】
合成樹脂板のような硬質素材を切断する場合は、ネジ11にて突起Ａを上に上げるか、又は抜き取り切断すべき素材に突起Ａ12による、傷付けを防止する。
【００２８】
図８は本発明の切断ガイド付き携帯用電動鋸の、レール５の断面図であつて13はレ
ール５の裏面に取り付けられた突起Ｂである。
【００２９】
この突起Ｂ13は取り外し不能なるため木板のような突起の押入れ可能な素材切断用に限定される。
【００３０】
図９は本発明の切断ガイド付き携帯用電気鋸の,（図６）レール５の断面図であっ
て14は切断すべき素材に押入れレール５を切断材に止め付けるための突起Ｃである、下段レール10に脱着可能に作られ、レール５の上段レールで冠着されて居る。
【００３１】
合成樹脂板のような硬質素材を切断する場合は、突起Ｃ14を抜き取り切断すべき素材に突起14Ｃによる、傷付けを防止する。
【００３２】
図１０は本発明の切断ガイド付き携帯用電動鋸の、レール５の端部の斜視図であっ
て、15はレール５を切断すべき木板等に仮止めする場合に、止め釘、又は木ネジを入れるための小孔である。
【００３３】
図１１は本発明の切断ガイド付き携帯用電動鋸の、矩形状ガイドとレールとの嵌合
状態を示した側面図であって、ガイド板Ｂ３に設けられたる矩形状のガイド溝Ｂ17内に矩形状のレール19が嵌入したる状態を示したものである。
【００３４】
図１２は本発明の切断ガイド付き携帯用電動鋸の、梯形状ガイドとレールとの嵌合
状態を示した側面図であつて、ガイド板Ｃ４に設けられたる梯形状のガイド溝18内に梯形状のレール20が嵌入したる状態を示したものである。
【００３５】
携帯用電動鋸は従来より現今に至るも、切断線を目視して操作していた、そのため正確な切断が不可能であったが、本発明はガイドによる切断なるため、容易に正確な切断ができ、作業能率を向上し得る事ができる。
【００３６】
本発明は、このような実施例に何等、限定されるものでなく、発明の要旨を逸脱しない範囲において種々なる態様にて実施し得る事は勿論である。
【産業上の利用可能性】
【００３７】
本発明は簡単な構成なるため、製造が容易であり、そのため製造単価も低く、実用上の効果は顕著なるため、産業上において大きく活用が期待される。
【図面の簡単な説明】
【００３８】
【図１】は本発明の切断ガイド付き携帯用電動鋸の斜視図である。
【図２】は本発明の切断ガイド付き携帯用電動鋸の斜視図である
【図３】は本発明の切断ガイド付き携帯用電動鋸の斜視図である。
【図４】は本発明の切断ガイド付き携帯用電動鋸のレール５の一部切断平面図である。
【図５】は本発明の切断ガイド付き携帯用電動鋸のレール５の一部切断平面図である。
【図６】は本発明の切断ガイド付き携帯用電動鋸の二段レールの場合の斜視図である。
【図７】は本発明の切断ガイド付き携帯用電動鋸のレール５の断面図である。
【図８】は本発明の切断ガイド付き携帯用電動鋸のレール５の断面図である。
【図９】は本発明の切断ガイド付き携帯用電動鋸の二段レールの場合の断面図である。
【図１０】は本発明の切断ガイド付き携帯用電動鋸のレール５の端部の斜視図である。
【図１１】は本発明の切断ガイド付き携帯用電動鋸の矩形状ガイドとレールとの嵌合状態を示した側面図である。
【図１２】は本発明の切断ガイド付き携帯用電動鋸の梯形状ガイドとレールとの嵌合状態を示した側面図である。
【符号の説明】
【００３９】
１    携帯用電動鋸
２    ガイド板Ａ
３    ガイド板Ｂ
４    ガイド板Ｃ
５    レール
６    枝片
７    支点軸
８    調整用ネジ
９    止めネジ孔
10    下段レール
11    ネジ
12    突起Ａ
13    突起Ｂ
14    突起Ｃ
15    小孔
16    ガイド溝Ａ
17    ガイド溝Ｂ
18    梯形状ガイド溝
19    矩形状レール
20    梯形状レール
【図１】
2009178943.tif 000003
【図２】
2009178943.tif 000004
【図３】
2009178943.tif 000005
【図４】
2009178943.tif 000006
【図５】
2009178943.tif 000007
【図６】
2009178943.tif 000008
【図７】
2009178943.tif 000009
【図８】
2009178943.tif 000010
【図９】
2009178943.tif 000011
【図１０】
2009178943.tif 000012
【図１１】
2009178943.tif 000013
【図１２】
2009178943.tif 000014